(57)【要約】【課題】ボウルの形状によらず、カウンターを照らした際の美観を向上させることができるボウルユニットを提供することを目的とする。【解決手段】上下方向に貫通する開口部を有し、光を透過するカウンターと、前記カウンターの上に載置され、前記開口部を介して下方に排水するボウルと、前記カウンターに光を照射する照射部を有する照明部と、を備え、前記ボウルの少なくとも一部は、前記カウンターの上面から上方に突出し、前記照射部は、前記開口部の端面から光を入射させることを特徴とするボウルユニット。【選択図】図３
2020048731.tif 000002
【特許請求の範囲】
【請求項１】
上下方向に貫通する開口部を有し、光を透過するカウンターと、
前記カウンターの上に載置され、前記開口部を介して下方に排水するボウルと、
前記カウンターに光を照射する照射部を有する照明部と、
を備え、
前記ボウルの少なくとも一部は、前記カウンターの上面から上方に突出し、
前記照射部は、前記開口部の端面から光を入射させることを特徴とするボウルユニット。
【請求項２】
前記ボウルは、前記開口部を塞ぐように設けられることを特徴とする請求項１記載のボウルユニット。
【請求項３】
前記ボウルの下方に設けられる排水ソケットをさらに備え、
前記照射部の下方かつ前記排水ソケットの下端よりも上方に設けられる遮光部材をさらに備えたことを特徴とする請求項１または２に記載のボウルユニット。
【請求項４】
前記照射部の少なくとも一部は、前記端面の下端よりも上方に位置することを特徴とする請求項１〜３のいずれか１つに記載のボウルユニット。
【請求項５】
前記照射部は、前記開口部に沿って配置されることを特徴とする請求項１〜４のいずれか１つに記載のボウルユニット。
【請求項６】
前記照射部は、反射光が前記端面に入射されるように、上方に向かって光を照射することを特徴とする請求項１〜５のいずれか１つに記載のボウルユニット。
【発明の詳細な説明】
【技術分野】
【０００１】
本発明の態様は、一般的に、ボウルユニットに関する。
【背景技術】
【０００２】
従来、透光性のある材料を用いたボウルをカウンターと一体成型した洗面化粧台において、カウンター下部に設置された照明部によって、ボウル及びカウンターを照らすことで、美観を向上させる技術が提案されている（特許文献１）。
【先行技術文献】
【特許文献】
【０００３】
【特許文献１】特許第５４９１１２１号公報
【発明の概要】
【発明が解決しようとする課題】
【０００４】
例えば、カウンターの上にボウルを載置するいわゆるベッセルタイプのボウルユニットにおいて、特許文献１のように下方からカウンターに光を照射すると、ボウルの形状によっては、カウンターの下面にカウンター補強材などが設けられた際に、カウンター補強材の影がカウンターに投影されてしまい、カウンターを照らした際の美観が損なわれる場合がある。
【０００５】
本発明は、かかる課題の認識に基づいてなされたものであり、ボウルの形状によらず、カウンターを照らした際の美観を向上させることができるボウルユニットを提供することを目的とする。
【課題を解決するための手段】
【０００６】
第１の発明は、上下方向に貫通する開口部を有し、光を透過するカウンターと、前記カウンターの上に載置され、前記開口部を介して下方に排水するボウルと、前記カウンターに光を照射する照射部を有する照明部と、を備え、前記ボウルの少なくとも一部は、前記カウンターの上面から上方に突出し、前記照射部は、前記開口部の端面から光を入射させることを特徴とするボウルユニットである。
【０００７】
このボウルユニットによれば、開口部の端面から光を入射させることで、端面から入射させた光をカウンターに導光させ、カウンターを光らせることができる。これにより、ボウルの形状によらず、カウンターを照らした際の美観を向上させることができる。
【０００８】
第２の発明は、第１の発明において、前記ボウルは、前記開口部を塞ぐように設けられることを特徴とするボウルユニットである。
【０００９】
このボウルユニットによれば、開口部を塞ぐようにボウルを設けることで、照射部から開口部の上方へ向かう光をボウルにより遮蔽でき、使用者が眩しさを感じることを抑制できる。また、発光がカウンターのみとなり、演出効果が上がる。
【００１０】
第３の発明は、第１または第２の発明において、前記ボウルの下方に設けられる排水ソケットをさらに備え、前記照射部の下方かつ前記排水ソケットの下端よりも上方に設けられる遮光部材をさらに備えたことを特徴とするボウルユニットである。
【００１１】
このボウルユニットによれば、照射部の下方かつ排水ソケットの下端よりも上方に遮光部材を設けることで、照射部から照射された光がボウルの下方に届かないように光を遮蔽することができる。これにより、例えば、カウンターの下面にカウンター補強材などが設けられた際にも、ボウルの下方から届いた光によってカウンター補強材の影がカウンターに投影されることを抑制できる。したがって、カウンターを照らした際の美観をより向上させることができる。
【００１２】
第４の発明は、第１〜第３のいずれか１つの発明において、前記照射部の少なくとも一部は、前記端面の下端よりも上方に位置することを特徴とするボウルユニットである。
【００１３】
このボウルユニットによれば、照射部の少なくとも一部が端面の下端よりも上方に位置することで、例えば、カウンターの下面にカウンター補強材などが設けられた際にも、カウンター補強材の影がカウンターに投影されることを抑制できる。これにより、カウンターを照らした際の美観をより向上させることができる。
【００１４】
第５の発明は、第１〜第４のいずれか１つの発明において、前記照射部は、前記開口部に沿って配置されることを特徴とするボウルユニットである。
【００１５】
このボウルユニットによれば、照射部を第１開口部に沿って配置することで、開口部に沿ってカウンターを光らせることができる。これにより、カウンターを照らした際の美観をより向上させることができる。
【００１６】
第６の発明は、第１〜第５のいずれか１つの発明において、前記照射部は、反射光が前記端面に入射されるように、上方に向かって光を照射することを特徴とするボウルユニットである。
【００１７】
このボウルユニットによれば、反射光が端面に入射されるように上方に向かって光を照射することで、照射部からの光が拡散し、輝度のばらつきを抑制できる。これにより、カウンターを照らした際の美観をより向上させることができる。
【発明の効果】
【００１８】
本発明の態様によれば、ボウルの形状によらず、カウンターを照らした際の美観を向上させることができるボウルユニットが提供される。
【図面の簡単な説明】
【００１９】
【図１】実施形態に係るボウルユニットを備えた手洗器を模式的に表す正面図である。
【図２】実施形態に係るボウルユニットを模式的に表す分解斜視図である。
【図３】実施形態に係るボウルユニットの一部を模式的に表す断面図である。
【図４】実施形態に係るボウルユニットの一部を模式的に表す平面図である。
【図５】実施形態に係るボウルユニットの変形例の一部を模式的に表す断面図である。
【発明を実施するための形態】
【００２０】
以下、本発明の実施形態について図面を参照しつつ説明する。なお、各図面中、同様の構成要素には同一の符号を付して詳細な説明は適宜省略する。
【００２１】
図１は、実施形態に係るボウルユニットを備えた手洗器を模式的に表す正面図である。  図２は、実施形態に係るボウルユニットを模式的に表す分解斜視図である。  
図１に表したように、手洗器５００は、ボウルユニット１００と、水栓装置２００と、を備える。
【００２２】
手洗器５００は、例えば、トイレ室の内部に設けられるトイレ用の手洗器である。手洗器５００は、例えば、トイレ室に設置されるキャビネット５に設けられる。手洗器５００は、例えば、洗面所に設けられる洗面化粧台であってもよい。
【００２３】
図１及び図２に表したように、ボウルユニット１００は、カウンター１０と、ボウル２０と、照明部９０と、を備える。また、この例では、ボウルユニット１００は、ボウル固定部材３０と、ソケット支持材４０と、排水ソケット５０と、ソケット固定部材６０と、水密部材７０と、排水管８０と、をさらに備える。
【００２４】
水栓装置２００は、吐水口２１０を有しており、吐水口２１０の下方に設けられたボウル２０に向かって水を吐出する。使用者は、水栓装置２００からの吐水により、手などを洗うことができる。なお、本願明細書において「水」という場合には、冷水のみならず、加熱されたお湯も含むものとする。
【００２５】
また、本願明細書においては、ボウルユニット１００と向き合う使用者からみて手前側を「前方」とし、奥側を「後方」とし、上側を「上方」とし、下側を「下方」とし、右側を「右側方」とし、左側を「左側方」とする。
【００２６】
この例では、水栓装置２００は、キャビネット５の上面に設けられたカウンター１０に取り付けられている。また、この例では、水栓装置２００は、ボウル２０の右側方に取り付けられている。水栓装置２００は、例えば、ボウル２０の左側方や後方に取り付けられてもよい。また、水栓装置２００は、例えば、ボウル２０に取り付けられてもよいし、ボウル２０の後方の壁に取り付けられてもよい。
【００２７】
カウンター１０は、ボウル２０を支持する。カウンター１０は、例えば、床、壁、またはキャビネット５に支持される。カウンター１０は、例えば、略水平方向に拡がる板状の部材である。カウンター１０は、例えば、キャビネット５の天板である。換言すれば、手洗器５００は、例えば、キャビネット５の上部に設けられる。
【００２８】
キャビネット５は、例えば、略直方体の箱状であり、内部に収納空間を有する。キャビネット５は、例えば、床から離れた位置に取り付けられる。換言すれば、例えば、キャビネット５と床面との間には空間が設けられる。キャビネット５は、例えば、壁に取り付けられる。キャビネット５の内部の収納空間には、排水管８０が収納される。なお、図１では省略されているが、キャビネット５は、例えば、前面に扉を有する。この扉により、内部に収納された排水管８０などを隠すことができる。
【００２９】
カウンター１０は、光を透過する。より具体的には、カウンター１０は、可視光（例えば、波長が３６０ｎｍ以上８３０ｎｍ以下の光）を透過する。カウンター１０は、例えば、透光性を有する材料で形成される。カウンター１０は、例えば、ポリエステル樹脂、アクリル樹脂、エポキシ樹脂などの合成樹脂や人工大理石、ガラスなどで形成される。カウンター１０は、例えば、白色または乳白色である。カウンター１０には、例えば、色の濃淡などによる柄（模様）が設けられていてもよい。
【００３０】
カウンター１０は、上下方向に貫通する開口部（第１開口部）１１を有する。第１開口部１１は、上下方向においてボウル２０と重なる位置に設けられる。
【００３１】
カウンター１０の下面１０ｂには、例えば、カウンター補強材１５が設けられる。この例では、第１開口部１１の前方側及び後方側に、それぞれカウンター補強材１５が設けられている。このようなカウンター補強材１５を設けることで、カウンター１０がボウル２０などの重みでたわむことを抑制できる。
【００３２】
ボウル２０は、カウンター１０の上に載置される。ボウル２０は、吐水口２１０の下方に設けられる。ボウル２０は、吐水口２１０から吐出された水を受け、下方に排出する。ボウル２０は、吐水口２１０から吐出された水を受ける本体部２１と、本体部２１の下端から下方に延びる排水部２２を有する。排水部２２は、筒状の構造を有し、本体部２１内の水をカウンター１０の第１開口部１１を介して下方に排出する。本体部２１の内壁には、例えば、本体部２１内の水を排水部２２に導くための傾斜が設けられる。
【００３３】
本体部２１の少なくとも一部は、例えば、カウンター１０の上面１０ａよりも上方に位置する。換言すれば、ボウル２０（本体部２１）の少なくとも一部は、例えば、カウンター１０の上面１０ａから上方に突出する。
【００３４】
ボウル固定部材３０は、ボウル２０をカウンター１０に固定する。ボウル固定部材３０は、例えば、カウンター１０の下面１０ｂからカウンター１０を上下方向に貫通する。カウンター１０には、例えば、ボウル固定部材３０を貫通させるための孔部が設けられる。この例では、孔部は、第１開口部１１と連続して設けられている。ボウル固定部材３０は、例えば、ネジであってもよいし、ボルト及びナットであってもよい。
【００３５】
ソケット支持材４０は、排水ソケット５０を支持する。ソケット支持材４０は、例えば、金属製の板状の部材である。ソケット支持材４０は、取付部４１を有する。取付部４１は、カウンター１０の上面１０ａまたは下面１０ｂに取り付けられる。この例では、取付部４１は、カウンター１０の上面１０ａに取り付けられ、カウンター１０の上面１０ａに係合している。
【００３６】
ソケット支持材４０は、上下方向に貫通する第２開口部４２を有する。第２開口部４２は、上下方向において、第１開口部１１と重なる位置に設けられる。第２開口部４２は、例えば、前後方向または左右方向において、取付部４１の間に設けられる。この例では、第２開口部４２は、取付部４１よりも下方に位置している。このような構造であれば、第２開口部４２と取付部４１との間の上下方向の距離（ソケット支持材４０の高さ）を変えることで、様々なデザインのボウル２０に対応できる。なお、ソケット支持材４０は、これに限定されず、平板状であってもよい。換言すれば、第２開口部４２と取付部４１とは、同一平面上に設けられていてもよい。
【００３７】
排水ソケット５０は、ボウル２０の下方に設けられる。排水ソケット５０は、例えば、取付部５１と、ボウル接続部５２と、排水管接続部５３と、を有する。取付部５１は、ソケット支持材４０の下面に取り付けられる。このように排水ソケット５０をソケット支持材４０の下面に取り付けることで、ボウル２０やソケット支持材４０を取り外さなくても、排水ソケット５０を下方に取り外すことができる。これにより、簡単に排水ソケット５０や水密部材７０を交換することができる。取付部５１は、例えば、略水平方向に拡がる平板状である。
【００３８】
ボウル接続部５２は、ボウル２０の排水部２２と接続される。ボウル接続部５２は、例えば、前後方向または左右方向において、取付部５１の間に設けられる。ボウル接続部５２は、上下方向において、ボウル２０の排水部２２及びソケット支持材４０の第２開口部４２と重なる位置に設けられる。この例では、ボウル接続部５２は、上方が開放されたカップ状であり、上方から排水部２２がボウル接続部５２の内部に挿入されている。
【００３９】
排水管接続部５３は、ボウル接続部５２と排水管８０とを接続する。換言すれば、ボウル２０の排水部２２は、排水ソケット５０のボウル接続部５２及び排水管接続部５３を介して、排水管８０と接続される。排水管接続部５３は、例えば、ボウル接続部５２の下端から下方に延びる筒状である。
【００４０】
ソケット固定部材６０は、排水ソケット５０をソケット支持材４０に固定する。ソケット固定部材６０は、例えば、排水ソケット５０の下面から排水ソケット５０を上下方向に貫通する。ソケット支持材４０には、例えば、ソケット固定部材６０を貫通させるための孔部が設けられる。ソケット固定部材６０は、例えば、ネジであってもよいし、ボルト及びナットであってもよい。
【００４１】
水密部材７０は、ボウル２０の排水部２２と排水ソケット５０との間を塞ぐ。水密部材７０は、例えば、排水部２２と排水ソケット５０のボウル接続部５２との間を塞ぐ。この例では、水密部材７０は、排水部２２の外壁とボウル接続部５２の内壁との間に設けられている。
【００４２】
水密部材７０は、ボウル２０の排水部２２と排水ソケット５０との間の水の通過を防止し、いわゆる水密状態にする。水密部材７０は、例えば、パッキンである。
【００４３】
排水管８０は、排水ソケット５０の排水管接続部５３と、床または壁に設けられた排出部８５と、を接続する。排水管８０は、例えば、排水トラップを有する。排水トラップは、例えば、上方からの排水を２か所のＵ字構造を介して床に設けられた排出部８５に流す、いわゆるＳトラップであってもよいし、上方からの排水を１か所のＵ字構造を介して壁に設けられた排出部８５に流すいわゆるＰトラップであってもよい。この例では、排水管８０は、Ｐトラップを有する。
【００４４】
吐水口２１０から吐出された水は、例えば、ボウル２０の本体部２１から排水部２２を通り、排水ソケット５０の排水管接続部５３を通り、さらに排水管８０を通って、排出部８５から排出される。
【００４５】
照明部９０は、カウンター１０に光を照射する。より具体的には、照明部９０は、カウンター１０に光を照射する照射部９１を有する。照射部９１は、カウンター１０の第１開口部１１の端面１１ａから光を入射させる。
【００４６】
例えば、カウンター１０の上にボウル２０を載置するいわゆるベッセルタイプのボウルユニット１００において、下方からカウンター１０に光を照射すると、ボウル２０の形状によっては、カウンター１０を照らした際の美観が損なわれる場合がある。
【００４７】
これに対し、実施形態によれば、照明部９０の照射部９１により第１開口部１１の端面１１ａから光を入射させることで、端面１１ａから入射させた光をカウンター１０に導光させ、カウンター１０を光らせることができる。これにより、ボウル２０の形状によらず、カウンター１０を照らした際の美観を向上させることができる。
【００４８】
この例では、上下方向において、ソケット支持材４０の取付部４１と第２開口部４２との間に、照射部９１からの光を透過させるための孔部４３が設けられている。このような孔部４３を設けることで、カウンター１０の第１開口部１１の端面１１ａと照明部９０との間にソケット支持材４０が設けられている場合にも、照射部９１からの光をカウンター１０の第１開口部１１の端面１１ａに入射させることができる。
【００４９】
図３は、実施形態に係るボウルユニットの一部を模式的に表す断面図である。  
図４は、実施形態に係るボウルユニットの一部を模式的に表す平面図である。  
図３及び図４に表したように、ボウル２０は、第１開口部１１を塞ぐように設けられる。このように、第１開口部１１を塞ぐようにボウル２０を設けることで、照射部９１から第１開口部１１の上方へ向かう光をボウル２０により遮蔽でき、使用者が眩しさを感じることを抑制できる。また、発光がカウンター１０のみとなり、演出効果が上がる。
【００５０】
なお、図３に表したように、この例では、ボウル２０は、カウンター１０に埋め込まれている（すなわち、ボウル２０の本体部２１の下端は、カウンター１０の下面１０ｂよりも下方に位置している）が、ボウル２０は、カウンター１０に埋め込まれていなくてもよい。例えば、ボウル２０の本体部２１の下端は、カウンター１０の上面１０ａと略同一平面上に位置していてもよいし、カウンター１０の上面１０ａよりも上方に位置していてもよい。換言すれば、ボウル２０の本体部２１の全体が、カウンター１０の上面１０ａよりも上方に位置していてもよい。
【００５１】
照明部９０の照射部９１は、上面視において、第１開口部１１（端面１１ａ）の内側に位置する。照射部９１は、上面視において照射部９１よりも外側に位置する第１開口部１１の端面１１ａに光を入射させる。
【００５２】
照射部９１は、照射部９１から照射される光を直接第１開口部１１の端面１１ａに入射させてもよいし、照射部９１から照射される光を反射させるなどして、間接的に第１開口部１１の端面１１ａに入射させてもよい。
【００５３】
照射部９１は、例えば、反射光が端面１１ａに入射されるように、上方に向かって光を照射する。例えば、照射部９１から上方に向かって照射された光は、ボウル２０の本体部２１の外壁などに反射して、第１開口部１１の端面１１ａから入射される。
【００５４】
例えば、照射部９１から照射される光を直接第１開口部１１の端面１１ａに入射させると、光が入射した部分だけが強く光るなど輝度のばらつきが発生する場合がある。これに対し、例えば、照射部９１から上方に向かって照射した光をボウル２０の本体部２１の外壁などに反射させると、照射部９１から照射された光を拡散させることができる。このように、光を拡散させて第１開口部１１の端面１１ａに入射させることで、輝度のばらつきを抑制することができる。これにより、カウンター１０を照らした際の美観をより向上させることができる。
【００５５】
なお、照射部９１から上方に向かって照射された光は、上記のように、ボウル２０の本体部２１の外壁などに反射させてもよいし、別途設けられた反射部材に反射させてもよい。
【００５６】
また、照射部９１または端面１１ａに光拡散部材（例えば、光拡散板）を設けることで、照射部９１からの光を拡散させてもよい。例えば、光拡散部材を設けることで、照射部９１から照射される光を直接第１開口部１１の端面１１ａに入射させる場合にも、輝度のばらつきを抑制することができる。
【００５７】
照射部９１の少なくとも一部は、例えば、端面１１ａの下端よりも上方に位置する。この例では、端面１１ａの下端は、カウンター１０の下面１０ｂに相当する。このように、照射部９１の少なくとも一部が端面１１ａの下端よりも上方に位置することで、例えば、カウンター１０の下面１０ｂにカウンター補強材１５などが設けられた際にも、カウンター補強材１５の影がカウンター１０に投影されることを抑制できる。これにより、カウンター１０を照らした際の美観をより向上させることができる。
【００５８】
また、照射部９１の少なくとも一部は、例えば、端面１１ａの上端よりも下方に位置する。この例では、端面１１ａの上端は、カウンター１０の上面１０ａに相当する。
【００５９】
また、照射部９１は、例えば、ボウル２０の本体部２１よりも下方に位置する。このように、照射部９１をボウル２０の本体部２１よりも下方に設けることで、照射部９１から照射された光が直接ボウル２０の周辺から漏れることを抑制できる。これにより、カウンター１０を照らした際の美観をより向上させることができる。
【００６０】
照射部９１は、例えば、第１開口部１１に沿って配置される。この例では、照射部９１は、カウンター補強材１５に設けられた溝部に載置されている。溝部は、第１開口部１１に沿って設けられている。照射部９１は、例えば、第１開口部１１に沿うように端面１１ａやカウンター補強材１５に取り付けられてもよい。このように、照射部９１を第１開口部１１に沿って配置することで、第１開口部１１に沿ってカウンター１０を光らせることができる。これにより、カウンター１０を照らした際の美観をより向上させることができる。
【００６１】
照明部９０の光源は、例えば、ＬＥＤ（light emitting diode）である。照明部９０の光源は、ＬＥＤに限定されず、可視光を発光可能なものであればよい。この例では、照明部９０は、複数のＬＥＤが帯状に等間隔に配列され樹脂によってモールドされたフレキシブルＬＥＤモジュールである。換言すれば、この例では、照明部９０は、等間隔に配置された複数の照射部９１を有する。
【００６２】
この例では、照明部９０の光源は、照射部９１に設けられているが、照明部９０の光源の位置は、これに限定されない。例えば、照明部９０の光源は、照射部９１から離れた位置に設けられてもよい。より具体的には、例えば、照射部９１から離れた位置に設けられた光源から発生した光を、光ファイバなどにより導光し、照射部９１から照射してもよい。
【００６３】
照明部９０は、例えば、配線部９５を介して、制御部（図示せず）に接続される。制御部は、例えば、使用者による操作（スイッチやリモコン等の操作）やセンサによる検知に基づいて、照明部９０の点灯及び消灯を制御する。
【００６４】
図５は、実施形態に係るボウルユニットの変形例の一部を模式的に表す断面図である。  図５に表したように、この例では、ボウルユニット１００Ａは、遮光部材９７をさらに備える。遮光部材９７は、照射部９１の下方かつ排水ソケット５０の下端（すなわち、排水管接続部５３の下端）よりも上方に設けられる。遮光部材９７は、例えば、照射部９１の下方かつボウル２０の下端（すなわち、排水部２２の下端）よりも上方に設けられてもよい。この例では、遮光部材９７は、ソケット支持材４０と排水ソケット５０の取付部５１との間に設けられている。また、遮光部材９７は、カウンター１０の下面１０ｂに取り付けられている。
【００６５】
遮光部材９７は、例えば、遮光フィルムである。遮光部材９７は、例えば、光を完全に遮断するものでなくてもよい。遮光部材９７は、例えば、遮光部材９７を透過することで、光の強度が５０％以上低減されるものであればよい。
【００６６】
このように、照射部９１の下方かつボウル２０の下端よりも上方に遮光部材９７を設けることで、照射部９１から照射された光がボウル２０の下方に届かないように光を遮蔽することができる。これにより、例えば、カウンター１０の下面１０ｂにカウンター補強材１５などが設けられた際にも、ボウル２０の下方から届いた光によってカウンター補強材１５の影がカウンター１０に投影されることを抑制できる。したがって、カウンター１０を照らした際の美観をより向上させることができる。
【００６７】
また、実施形態において、遮光部材９７の代わりに、光を反射する部材を設けてもよい。
【００６８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、手洗器やボウルユニットなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６９】
５ キャビネット、  １０ カウンター、  １０ａ 上面、  １０ｂ 下面、  １１ 開口部（第１開口部）、  １１ａ 端面、  １５ カウンター補強材、  ２０ ボウル、  ２１ 本体部、  ２２ 排水部、  ３０ ボウル固定部材、  ４０ ソケット支持材、  ４１ 取付部、  ４２ 第２開口部、  ４３ 孔部、  ５０ 排水ソケット、  ５１ 取付部、  ５２ ボウル接続部、  ５３ 排水管接続部、  ６０ ソケット固定部材、  ７０ 水密部材、  ８０ 排水管、  ８５ 排出部、  ９０ 照明部、  ９１ 照射部、  ９５ 配線部、  ９７ 遮光部材、  １００、１００Ａ ボウルユニット、  ２００ 水栓装置、  ２１０ 吐水口、  ５００ 手洗器
【図１】
2020048731.tif 000003
【図２】
2020048731.tif 000004
【図３】
2020048731.tif 000005
【図４】
2020048731.tif 000006
【図５】
2020048731.tif 000007